(57)【特許請求の範囲】
【請求項１】
排気通路に設置され、排気空燃比が希薄を示す高空燃比であるときに排気ガスに含まれるＮＯｘをトラップする一方、排気空燃比が過濃を示す低空燃比であるときにトラップしているＮＯｘを放出し及び還元するＮＯｘトラップ触媒と、
機関出力のための燃焼燃料を噴射するメイン噴射の時期を設定するメイン噴射時期設定手段と、
前記ＮＯｘトラップ触媒を再生すべき時期にあるか否かを判定する再生時期判定手段と、
前記再生時期判定手段により再生時期にあると判定されたときに、メイン噴射後に燃料を噴射するポスト噴射を行わせ、排気空燃比を、過濃を示す所定空燃比にまで低下させる再生手段と、
前記ＮＯｘトラップ触媒の活性状態を検出する活性状態検出手段と、
前記ポスト噴射の時期を設定する手段であって、前記ＮＯｘトラップ触媒の低活性時において、ポスト噴射時期をそれ以外のときと比較してメイン噴射時期に近づけ、メイン噴射直後に設定するポスト噴射時期設定手段と、を含んで構成される内燃機関の排気浄化装置。
【請求項２】
運転状態に基づいて前記メイン噴射による噴射量を設定するメイン噴射量設定手段を更に含んで構成され、
前記メイン噴射量設定手段は、前記ポスト噴射時期設定手段によりポスト噴射をメイン噴射直後に行う際に、メイン噴射量を運転状態に応じた量よりも減量することを特徴とする請求項１に記載の内燃機関の排気浄化装置。
【請求項３】
運転状態に応じて燃焼状態を拡散燃焼と予混合燃焼とで切り換えて運転する場合に、前記メイン噴射量設定手段は、予混合燃焼時にのみメイン噴射量を減量し、拡散燃焼時にポスト噴射をメイン噴射直後に行うときは、前記メイン噴射時期設定手段が、メイン噴射時期を遅角することを特徴とする請求項２に記載の内燃機関の排気浄化装置。
【請求項４】
運転状態に応じて燃焼状態を拡散燃焼と予混合燃焼とで切り換えて運転する場合に、前記再生手段が、前記所定空燃比を燃焼状態に応じて切り換え、拡散燃焼時には、これを予混合燃焼時よりも高く設定することを特徴とする請求項１〜３のいずれか１つに記載の内燃機関の排気浄化装置。
【請求項５】
前記メイン噴射直後の時期は、ポスト噴射により噴射された燃料の脱水素反応とクラッキング反応とが活発となる時期である請求項１〜４のいずれか１つに記載の内燃機関の排気浄化装置。
【請求項６】
前記メイン噴射直後の時期は、筒内温度が１６００℃以上となる時期であることを特徴とする請求項５に記載の内燃機関の排気浄化装置。
【請求項７】
前記メイン噴射直後の時期は、メイン噴射終了後クランク角で３０°経過前であることを特徴とする請求項５に記載の内燃機関の排気浄化装置。
【請求項８】
前記再生時期判定手段が、前記ＮＯｘトラップ触媒がトラップしているＮＯｘの量に基づいて再生時期を判定することを特徴とする請求項１〜７のいずれか１つに記載の内燃機関の排気浄化装置。
【請求項９】
排気温度を上昇させる排気温度上昇手段を更に含んで構成され、
前記再生時期判定手段が、前記ＮＯｘトラップ触媒がトラップしているＳＯｘの量に基づいて再生時期を判定するとともに、
前記排気温度上昇手段が、前記再生時期判定手段によりＳＯｘのトラップ量に基づいて再生時期にあると判定された場合に、排気温度を上昇させることを特徴とする請求項１〜８のいずれか１つに記載の内燃機関の排気浄化装置。
【請求項１０】
排気通路に設置され、排気空燃比が希薄を示す高空燃比であるときに排気ガスに含まれるＮＯｘをトラップする一方、排気空燃比が過濃を示す低空燃比であるときにトラップしているＮＯｘを放出し及び還元するＮＯｘトラップ触媒と、
運転状態に基づいてメイン噴射による燃料噴射量を算出するメイン噴射量算出手段と、
前記ＮＯｘトラップ触媒を再生すべき時期にあるか否かを判定する再生時期判定手段と、
前記再生時期判定手段により再生時期にあると判定されたときに、メイン噴射後に燃料を噴射するポスト噴射を行わせ、排気空燃比を、過濃を示す所定空燃比にまで低下させる再生手段と、
前記ＮＯｘトラップ触媒の活性状態を検出する活性状態検出手段と、
前記再生時期にあると判定されたときであって、前記ＮＯｘトラップ触媒の低活性時にのみ、前記ポスト噴射をメイン噴射直後に行わせ、その際に、前記メイン噴射量算出手段により算出された燃料噴射量を減量補正する燃料噴射制御手段と、を含んで構成される内燃機関の排気浄化装置。
【請求項１１】
前記メイン噴射直後の時期は、ポスト噴射により噴射された燃料の脱水素反応とクラッキング反応とが活発となる時期である請求項１０に記載の内燃機関の排気浄化装置。
【発明の詳細な説明】
【０００１】
【発明の属する技術分野】
本発明は、内燃機関の排気浄化装置に関し、詳細には、流入する排気ガスの空燃比に応じて排気ガスに含まれるＮＯｘをトラップし又はトラップしているＮＯｘを還元放出するＮＯｘトラップ触媒の再生技術に関する。
【０００２】
【従来の技術】
従来より、流入する排気ガスの空燃比が希薄（リーン）を示す高空燃比であると、排気ガスに含まれる窒素酸化物（ＮＯｘ）をトラップする一方、同空燃比が過濃（リッチ）を示す低空燃比となると、トラップしているＮＯｘを放出し及び還元する性質を持つＮＯｘトラップ触媒が知られている。このような触媒を機関の排気通路に設置して排気ガスを浄化する排気浄化装置として、例えば、特開２００１−０５９４４０号公報に示されたものがある。
【０００３】
ＮＯｘトラップ触媒は、ＮＯｘをトラップし続けると、やがてトラップしているＮＯｘの量が限界量に達し、それ以後はトラップすることができずにＮＯｘをそのまま通過させてしまう。このため、上記従来技術では、ＮＯｘの蓄積量が所定量を超えたときに、燃焼のためのメイン噴射後にポスト噴射を行って排気空燃比を一時的にリッチとし、ＮＯｘトラップ触媒を再生させている。このとき、ＮＯｘトラップ触媒に還元剤として炭化水素（ＨＣ）及び一酸化炭素（ＣＯ）が供給されることで、トラップされていたＮＯｘは、還元された後大気中に放出される。
【０００４】
【発明が解決しようとする課題】
この再生過程では、ＮＯｘトラップ触媒がある程度高温となっていなければ、トラップしているＮＯｘを還元する際の効率（ＮＯｘ浄化率）を充分に得ることができない。
従来より、ＮＯｘを還元するための還元剤としてＨＣ，ＣＯの他に水素（Ｈ２）があること、そして、Ｈ２は、ＨＣ及びＣＯよりも還元力が強いことが知られている。従って、排気ガス中にＨ２が存在すると、ＮＯｘ浄化率が向上することになる（特開２０００−１５４７１３号公報参照）。
【０００５】
本発明者らは、鋭意研究の結果、メイン噴射による噴射量（メイン噴射量）及びポスト噴射による噴射量（ポスト噴射量）をそれぞれ一定として、メイン噴射を圧縮上死点で開始した場合に、ポスト噴射の開始時期をメイン噴射の終了時期に近づけるほど排気ガスに含まれるＨ２が多いことを、実験により発見した。これを、図１（ａ）に示す。
【０００６】
この発見に基づけば、ＮＯｘトラップ触媒を再生する際に、ポスト噴射の時期（ポスト噴射時期）をメイン噴射の時期（メイン噴射時期）に近づけることが、ＮＯｘ浄化率の面で有効と考えられる。しかし、ポスト噴射時期とメイン噴射時期とが近過ぎると、機関出力にトルク変動を来すおそれがある（図１（ｂ）参照）。ポスト噴射により噴射された燃料が燃焼し、トルクが発生するからである。
【０００７】
本発明は、このような実情に鑑みてなされたものであり、その目的は、機関の排気通路に設置されたＮＯｘトラップ触媒を再生する際に、排気ガスに含まれるＨ２を増加させることにより、これまで以上に高いＮＯｘ浄化率を実現する点にある。
また、本発明は、排気ガスに含まれるＨ２を増加させるときに機関のトルク変動を抑制することを目的とする。
【０００８】
更に、本発明は、特にディーゼル機関において、スモークの発生を抑制しつつＮＯｘ浄化率を向上させることを目的とする。
【０００９】
【課題を解決するための手段】
【００１０】
このため、請求項１に記載の発明では、内燃機関の排気浄化装置を、次の（Ａ）〜（Ｆ）を含んで構成した。すなわち、（Ａ）排気通路に設置され、排気空燃比が希薄を示す高空燃比であるときに排気ガスに含まれるＮＯｘをトラップする一方、排気空燃比が過濃を示す低空燃比であるときにトラップしているＮＯｘを放出し及び還元するＮＯｘトラップ触媒、（Ｂ）機関出力のための燃焼燃料を噴射するメイン噴射の時期を設定するメイン噴射時期設定手段、（Ｃ）ＮＯｘトラップ触媒を再生すべき時期にあるか否かを判定する再生時期判定手段、（Ｄ）再生時期判定手段により再生時期にあると判定されたときに、メイン噴射後に燃料を噴射するポスト噴射を行わせ、排気空燃比を所定空燃比（リッチ）にまで低下させる再生手段、（Ｅ）ＮＯｘトラップ触媒の活性状態を検出する活性状態検出手段、及び（Ｆ）ポスト噴射の時期を設定する手段であって、ＮＯｘトラップ触媒の低活性時において、ポスト噴射時期をそれ以外のときと比較してメイン噴射時期に近づけ、メイン噴射直後に設定するポスト噴射時期設定手段である。
【００１１】
ここで、本発明の作用を説明するために、空燃比がリッチである条件での燃料の反応経路について述べる。この場合に燃料は、幾つかの経路に分かれて反応が進む。すなわち、式（１）に示す部分酸化反応、式（２）に示す脱水素反応、及び式（３）に示すクラッキング反応である。
【００１２】
【数１】
0003885545.tif 000002
これらの反応のうち、脱水素反応は吸熱反応であるため、また、クラッキング反応は分子運動を活発化する必要があるため、いずれも熱エネルギーが必要である。ここで、ポスト噴射をメイン噴射直後に行うことで、このための熱エネルギーが得られる。
【００１３】
そして、上式に示すように、脱水素及びクラッキングの両反応は、いずれも酸素が関与しない反応であるためにＨ２生成率が高い。対して、部分酸化反応では、ＣＯ，ＣＯ２，Ｈ２及びＨ２Ｏが生成される。これらの成分の生成比は熱平衡的に決定されるが、Ｈ２Ｏが生成される分Ｈ２の比率が低下してしまう。
上記構成によれば、図２に示すように、ポスト噴射時期設定手段によりポスト噴射時期がメイン噴射に対して相対的に進角され（ＢからＡの時期に移され）、その直後に設定される。従って、このとき、ポスト噴射により噴射された燃料の脱水素反応及びクラッキング反応が進み、排気ガスに含まれるＨ２が増加することとなる。
【００１４】
請求項２に記載の発明では、運転状態に基づいてメイン噴射による噴射量を設定するメイン噴射量設定手段を設け、ポスト噴射をメイン噴射直後に行う際は、メイン噴射量を運転状態に応じた量よりも減量させることとした。
メイン噴射による噴射量は、メイン噴射時期とポスト噴射時期とが近づくほど減量してもよい。
請求項３に記載の発明では、運転状態に応じて燃焼状態を拡散燃焼と予混合燃焼とで切り換えて運転する内燃機関において、ポスト噴射をメイン噴射直後に行う場合は、予混合燃焼時には、メイン噴射量を減量する一方、拡散燃焼時には、メイン噴射時期を遅角することとした。
【００１５】
ここで、拡散燃焼及び予混合燃焼の意義を明らかにする。一般的にディーゼル機関では、燃料噴射が開始されると、まず燃料の蒸発による混合気化が進み、筒内温度及び筒内圧力が所定値に達した時に筒内に存在する混合気が初期燃焼（予混合燃焼）する。そして、この初期燃焼により筒内が更に高温高圧となるため、その後は噴射された燃料が噴射と同時に蒸発しながら燃焼（拡散燃焼）する。通常、噴射開始から予混合燃焼が起こるまでの期間（着火遅れ期間）が燃焼期間全体に占める割合は低く、拡散燃焼が主体となる。本明細書では、このように拡散燃焼を主体とする燃焼状態を、単に「拡散燃焼」と呼ぶこととする。
【００１６】
ところで、特許第２８６４８９６号公報には、着火遅れ期間を大幅に長期化して、この着火遅れ期間内に燃料を全量噴射することにより、予混合燃焼を主体化する技術が示されている。このように予混合燃焼を主体とする燃焼状態（本明細書では、単に「予混合燃焼」と呼ぶ）と、拡散燃焼とは、運転状態に応じて切り換えるのが一般的である。予混合燃焼によると、スモーク（ＰＭ）の発生を抑制できる。
【００１７】
請求項４に記載の発明では、運転状態に応じて燃焼状態を拡散燃焼と予混合燃焼とで切り換えて運転する場合は、前記所定空燃比を燃焼状態に応じて切り換え、拡散燃焼時には、予混合燃焼時よりも高く設定することとした。
すなわち、空気過剰率の減少に伴うスモーク性能の悪化が著しい拡散燃焼時には、スモークの増加を抑えた状態でリッチ化できる範囲内でポスト噴射を行うのである。
【００１８】
請求項５に記載の発明では、前記メイン噴射直後の時期を、ポスト噴射により噴射された燃料の脱水素反応とクラッキング反応とが活発となる時期に設定した。
【００１９】
請求項６に記載の発明では、前記メイン噴射直後の時期を、筒内温度が１６００℃以上となる時期とした。
請求項７に記載の発明では、前記メイン噴射直後の時期を、メイン噴射終了後クランク角で３０°経過前とした。
【００２１】
請求項８に記載の発明では、ＮＯｘトラップ触媒がトラップしているＮＯｘの量に基づいて再生時期を判定することとした。
【００２２】
請求項９に記載の発明では、排気温度を上昇させる排気温度上昇手段を更に設けた。そして、ＮＯｘトラップ触媒がトラップしている硫黄酸化物（ＳＯｘ）の量に基づいて再生時期を判定し、ＳＯｘのトラップ量に基づいて再生時期にあると判定された場合は、排気ガスに含まれるＨ２を増加させるとともに、排気温度を上昇させることとした。
【００２３】
すなわち、ＮＯｘトラップ触媒がトラップしているＳＯｘを除去するには、ＮＯｘの場合と比較して触媒がより高温である必要があるので、排気空燃比をリッチ化することに併せ、排気温度を上昇させる。
請求項１０に記載の発明では、内燃機関の排気浄化装置を、次の（イ）〜（ヘ）を含んで構成した。すなわち、（イ）排気通路に設置され、排気空燃比が希薄を示す高空燃比であるときに排気ガスに含まれるＮＯｘをトラップする一方、排気空燃比が過濃を示す低空燃比であるときにトラップしているＮＯｘを放出し及び還元するＮＯｘトラップ触媒、（ロ）運転状態に基づいてメイン噴射による燃料噴射量を算出するメイン噴射量算出手段、（ハ）ＮＯｘトラップ触媒を再生すべき時期にあるか否かを判定する再生時期判定手段、（ニ）再生時期判定手段により再生時期にあると判定されたときに、メイン噴射後に燃料を噴射するポスト噴射を行わせ、排気空燃比を、過濃を示す所定空燃比にまで低下させる再生手段、（ホ）ＮＯｘトラップ触媒の活性状態を検出する活性状態検出手段、及び（ヘ）再生時期にあると判定されたときであって、ＮＯｘトラップ触媒の低活性時にのみ、ポスト噴射をメイン噴射直後に行わせ、その際に、メイン噴射量算出手段により算出された燃料噴射量を減量補正する燃料噴射制御手段である。
請求項１１に記載の発明では、前記メイン噴射直後の時期を、ポスト噴射により噴射された燃料の脱水素反応とクラッキング反応とが活発となる時期に設定した。
【００２４】
【発明の効果】
【００２６】
請求項１に係る発明によれば、ポスト噴射時期設定手段によりポスト噴射をメイン噴射直後に行えるので、ＮＯｘトラップ触媒を再生する際に多くのＨ２を供給し、ＮＯｘ浄化率を向上できる。
また、ＮＯｘトラップ触媒が充分活性化した場合は、メイン噴射から充分隔てた時期にポスト噴射を行えるので、燃費を向上できる。この場合は、ＨＣ及びＣＯにより充分なＮＯｘ浄化率が得られるところ、ポスト噴射をメイン噴射直後に行うと、トルクの発生（部分酸化）に関わる燃料が増加し、その分Ｈ２，ＨＣ及びＣＯの総合的な還元剤量が減少するからである。一方、ＮＯｘトラップ触媒があまり活性化していない場合は、排気ガスに含まれる多くのＨ２によりＮＯｘ浄化率を高め、良好なＮＯｘ浄化率が得られる。
請求項２に係る発明によれば、ポスト噴射をメイン噴射直後に行う際に、メイン噴射量を減量することでメイン噴射により得られるトルクが低下する。このため、ポスト噴射によりトルクが生じたとしても、全体としてトルク変動を抑制できる。
【００２７】
請求項３に係る発明によれば、請求項２の効果が得られるとともに、拡散燃焼時には、メイン噴射時期を遅角させたうえでポスト噴射をメイン噴射直後に行うことで、スモークの増加を抑制できる。
請求項４に係る発明によれば、拡散燃焼時にリッチ化が制限されるので、スモークの増加を抑制できる。
【００２８】
請求項５に係る発明によれば、ポスト噴射により噴射された燃料をＨ２生成率の高い反応に関与させ、排気ガスに含まれるＨ２を増加できるので、ＮＯｘトラップ触媒を再生する際にＮＯｘ浄化率を向上できる。
【００２９】
請求項６及び７に係る発明によれば、高いＨ２生成率が得られる。特に請求項７の発明では、メイン噴射終了後クランク角で２５°経過時にポスト噴射を行うのが好適である。
【００３１】
請求項８に係る発明によれば、トラップされているＮＯｘを効果的に除去できる。
【００３２】
請求項９に係る発明によれば、トラップされているＳＯｘを効率的に除去できる。ここで、ＳＯｘの除去に際してＮＯｘトラップ触媒を排気ガスの持つ熱量により加熱するには、排気温度を非常に高温にする必要がある。本発明によれば、排気ガスに含まれるＨ２が増加され、ＳＯｘの除去が促進されるので、このときの排気温度を比較的低温にできる。
請求項１０に係る発明によれば、ポスト噴射をメイン噴射直後に行わせるとともに、メイン噴射量を減量補正することで、ポスト噴射により生じるトルクがメイン噴射により得られるトルクの減少分により相殺されるので、全体としてトルク変動を伴うことなく、ＮＯｘトラップ触媒を再生する際に多くのＨ２を供給し、ＮＯｘ浄化率を向上できる。
また、ＮＯｘトラップ触媒が充分活性化した場合は、メイン噴射から充分隔てた時期にポスト噴射を行えるので、燃費を向上できる。
請求項１１に係る発明によれば、ポスト噴射により噴射された燃料をＨ２生成率の高い反応に関与させ、排気ガスに含まれるＨ２を増加できる。
【００３３】
【発明の実施の形態】
以下に、図面を参照して、本発明の実施の形態について説明する。図３に、本発明の第１実施形態に係る内燃機関の排気浄化装置を備えるディーゼル機関（エンジン）１の構成を示す。
吸気通路２には、導入部にエアフィルタ（図示せず）が取り付けられており、ここで、吸入空気中に浮遊する粉塵等が除去される。エアフローメータ３１は、エアフィルタの直ぐ下流に設置され、吸入空気量に対応した検出信号が電子制御ユニット（ＥＣＵ）４１に出力される。
【００３４】
エンジン１は、可変ノズル型ターボチャージャ３を備えており、エアフローメータ３１を介した吸入空気は、コンプレッサ部３ａにより圧縮されて送り出される。吸気通路２には、ターボチャージャ３とともにインタークーラ４が併設されており、コンプレッサ部３ａから圧送された吸入空気は、ここで冷却される。
インタークーラ４の下流には、吸気絞り弁５が設置されている。吸気絞り弁５は、電磁弁であり、ＥＣＵ４１からの制御信号を受ける駆動装置（図示せず）により駆動されて、吸気通路２の開度調整を行う。吸気絞り弁５を介した吸入空気は、マニホールド部において各気筒に分配される。
【００３５】
インジェクタ６は、シリンダヘッドにおいて、各燃焼室の上部略中央に臨んで設置されている。インジェクタ６へは、高圧燃料ポンプ（図示せず）により圧送された燃料が、コモンレール７を介して供給される。インジェクタ６は、ＥＣＵ４１からの制御信号に応じて作動し、所定時期において所定量の燃料を筒内に直接噴射する。
【００３６】
排気通路８には、ターボチャージャのタービン部３ｂが設置されている。また、排気通路８とサージタンク９とがＥＧＲ通路１０を介して連通され、この通路に制御弁（ＥＧＲ弁）１１が設置されている。ＥＧＲ弁１１は、ＥＣＵ４１からの制御信号を受ける駆動装置１２により駆動され、開弁時において、開度に応じて適量に流量制御された排気ガスが吸気系統に還流される。ＥＧＲによりＮＯｘの発生が抑制される。
【００３７】
タービン部３ｂの下流には、ＮＯｘトラップ触媒１３が設置されている。この触媒は、排気空燃比がリーンであるときに排気ガスに含まれるＮＯｘをトラップし、排気ガスから除去する。排気ガスには、ＮＯｘ以外に硫黄成分（Ｓ分）も含まれるが、ＮＯｘトラップ触媒１３は、ＮＯｘとともにこのＳ分をもトラップする。トラップされたＳ分は、ＳＯｘとして堆積する。
【００３８】
ＮＯｘトラップ触媒１３には、排気空燃比がリッチとなるとトラップしているＮＯｘ及びＳＯｘを放出し及び還元する性質がある。触媒１３におけるＮＯｘやＳＯｘの堆積量が過度に高くなれば、いずれにしろ排気浄化効率が満足に得られなくなるので、堆積量が限界に達する前に上記性質を利用してこれらの成分を除去し、触媒１３を再生させる必要がある。そこで、以下に、本発明に係る再生制御について、フローチャートを参照して説明する。
【００３９】
なお、エンジン１において設けられるセンサ類には、以上の他に、単位クランク角信号及び基準クランク角信号を出力するクランク角センサ３２、ＮＯｘトラップ触媒の直ぐ下流に設置され、この触媒を介した排気ガスの温度を検出する温度センサ３３、及び運転者のアクセル操作量を検出するアクセルセンサ３４等がある。これらの検出信号は、いずれもＥＣＵ４１に入力される。
【００４０】
図４は、ＥＣＵ４１により実行される再生時期判定ルーチンのフローチャートである。
Ｓ（ステップ）１では、拡散Ｈ２リッチ運転許可フラグＦｒｉｃｈ１が０であるか否かを判定する。ここで、「拡散Ｈ２リッチ運転」とは、エンジン１の燃焼状態が拡散燃焼であるときに、ポスト噴射をメイン噴射直後に行うことにより排気空燃比をリッチ化する運転である。
【００４１】
Ｓ２では、拡散リッチ運転状態許可フラグＦｒｉｃｈ２が０であるか否かを判定する。ここで、「拡散リッチ運転」とは、エンジン１の燃焼状態が拡散燃焼であるときに、ポスト噴射をメイン噴射から充分隔てた時期に行うことにより排気空燃比をリッチ化する運転である。
Ｓ３では、運転状態として、クランク角センサ３２及びアクセルセンサ３４からの検出信号に基づいて算出されたエンジン回転数Ｎｅ及びアクセル開度ＡＰＯを読み込む。
【００４２】
Ｓ４では、単位時間（制御周期）当たりのＮＯｘトラップ量ＮＯを算出する。ＮＯは、直接検出するのが困難であるので、エンジン回転数Ｎｅ及びアクセル開度ＡＰＯに対応させてそれぞれの値を割り付けたマップから推定するとよい。そして、Ｓ５でＮＯｘトラップ量ＮＯを積算し、総トラップ量ΣＮＯを算出する。このような算出方法によらず、ΣＮＯは、エンジン回転数Ｎｅの積算値からも推定できる。
【００４３】
Ｓ６では、総トラップ量ΣＮＯが、ＮＯｘトラップ触媒１３のトラップ能力の限界を示す所定量ＮＯＳＬ以上となったか否かを判定する。ΣＮＯがＮＯＳＬ未満であると判定した場合は、本ルーチンを終了し、ＮＯｘを更にトラップする。ΣＮＯがＮＯＳＬ以上であると判定した場合は、Ｓ７へ進む。
Ｓ７では、排気空燃比のリッチ化が可能であるか否かを判定する。この判定は、図６に示すマップを参照して行う。このマップは、メイン噴射量Ｑｍ及びエンジン回転数Ｎｅに対応させて作成されており、リッチな空燃比による運転が可能であれば、リッチ化が許可される一方（リッチ運転許可領域）、リッチな空燃比による運転が不可能であれば、リッチ化が禁止される（リッチ運転禁止領域）。メイン噴射量Ｑｍは、例えば、エンジン回転数Ｎｅ及びアクセル開度ＡＰＯに対応させて割り付けたマップから読み込まれる。結果として、リッチ運転許可領域にあると判定した場合は、Ｓ８へ進み、リッチ運転禁止領域にあると判定した場合は、本ルーチンを終了する。
【００４４】
Ｓ８では、総トラップ量ΣＮＯをリセットして再生停止後に再開されるΣＮＯの演算に備えるとともに、再生時間カウント用タイマｔをリセットする。このタイマｔは、ＮＯｘトラップ触媒１３の再生開始からの経過時間を把握するためのものである。
Ｓ９では、ＮＯｘトラップ触媒１３のベッド温度ＴＢが所定温度ＴＢＳＬ以上であるか否かを判定する。ベッド温度ＴＢは、触媒下流の温度センサ３３により推定温度として検出する。ＴＢＳＬは、例えば２５０℃に設定され、ＴＢがそれ以上高ければ、触媒１３は充分活性化していると判断できる。ＴＢＳＬ未満であると判定した場合は、Ｓ１０へ進み、ＴＢＳＬ以上であると判定した場合は、Ｓ１１へ進む。なお、ベッド温度ＴＢは、エンジン１の負荷及び回転数に基づいて推定してもよい。
【００４５】
Ｓ１０では、拡散Ｈ２リッチ運転許可フラグＦｒｉｃｈ１に１を代入してＮＯｘトラップ触媒１３の再生を許可し、また、Ｓ１１では、拡散リッチ運転許可フラグＦｒｉｃｈ２に１を代入して触媒１３の再生を許可する。
Ｆｒｉｃｈ１が１に設定されてＮＯｘトラップ触媒１３の再生が許可されていれば、Ｓ１からＳ１２へ進み、再生時間カウント用タイマｔを所定間隔ｔｄｌｔだけ増加させる。このｔｄｌｔは、本ルーチンの実行周期に相当する。
【００４６】
Ｓ１３では、再生時間カウント用タイマｔが、再生完了を示す所定値ｔ１に達したか否かを判定する。ｔ１に達した（ｔ≧ｔ１）と判定した場合は、Ｓ１４に進み、Ｆｒｉｃｈ１に０を代入してＮＯｘトラップ触媒１３の再生を停止した後、本ルーチンを終了する。未だ達していない（ｔ＜ｔ１）と判定した場合は、本ルーチンをそのまま終了し、再生を継続する。
【００４７】
また、Ｆｒｉｃｈ２が１に設定されてＮＯｘトラップ触媒１３の再生が許可されていれば、Ｓ１からＳ１５へ進むが、以降の処理は、Ｓ１２〜１４におけるものと同様である。但し、Ｓ１６で比較される所定値ｔ２は、ｔ１同様再生完了を示す値であるが、ｔ１とは別個に設定される。
図５は、ＥＣＵ４１により実行される燃焼噴射制御ルーチンのフローチャートである。
【００４８】
Ｓ２１では、運転状態としてエンジン回転数Ｎｅ、アクセル開度ＡＰＯ及び吸入空気量Ｑａを読み込む。
そして、Ｓ２２でエンジン回転数Ｎｅ及びアクセル開度ＡＰＯに対応させて割り付けたマップからメイン噴射量Ｑｍを読み込むとともに、Ｓ２３でメイン噴射時期Ｔｍを読み込む。
【００４９】
Ｓ２４では、拡散Ｈ２リッチ運転が許可されているか否かを判定する。許可されている（Ｆｒｉｃｈ１＝１）と判定した場合は、Ｓ２５へ進み、拡散Ｈ２リッチ運転を行う。許可されていない（Ｆｒｉｃｈ１＝０）と判定した場合は、Ｓ２９へ進む。
Ｓ２９では、拡散リッチ運転が許可されているか否かを判定する。許可されている（Ｆｒｉｃｈ２＝１）と判定した場合は、Ｓ３０へ進み、拡散リッチ運転を行う。許可されていない（Ｆｒｉｃｈ２＝０）と判定した場合は、本ルーチンを終了する。従って、この場合は、通常の拡散燃焼による運転が行われる。
【００５０】
排気空燃比をリッチ化してＮＯｘトラップ触媒１３を再生する際は、吸気絞り弁５を所定開度にまで閉じ、吸入空気量Ｑａを減量した状態で燃料噴射が制御される。拡散Ｈ２リッチ運転を行う場合は、Ｓ２５でメイン噴射量減少量Ｑｍｄｌｔを読み込み、続くＳ２６でメイン噴射量Ｑｍを減量補正する（Ｑｍ＝Ｑｍ−Ｑｍｄｌｔ）。排気空燃比をリッチ化するためにポスト噴射が行われるが、ここでは、ポスト噴射時期Ｔｐがメイン噴射直後に設定され、トルク変動が生じるおそれがあるので、メイン噴射により発生するトルクをその分落としておき、全体として機関出力を一定に保つためである。従って、メイン噴射減少量Ｑｍｄｌｔは、ポスト噴射時期Ｔｐとメイン噴射時期Ｔｍとの関係に関連して設定するとよい。本実施形態では、ポスト噴射がメイン噴射に近過ぎることでトルク変動が過剰に大きくなるのを防止するため、図７（ａ）に示すように、エンジン回転数Ｎｅが低いほど、また、メイン噴射量Ｑｍが少ないほどＴｐをＴｍに近づけることとしている。このような条件の下で、Ｑｍｄｌｔには、同図（ｂ）に示すように、Ｎｅが低いほど、また、Ｑｍが少ないほど大きな値が読み込まれる。ＴｐがＴｍに近いほどメイン噴射により生じるトルクを落とすためである。
【００５１】
なお、メイン噴射量Ｑｍは、ポスト噴射時期Ｔｐが近づくほど減少されればよいのであるから、補正によらず、運転状態に応じた量よりも少なく設定したポスト噴射用マップを予め用意しておき、このマップを参照して直接読み込むようにしてもよい。
Ｓ２７では、ポスト噴射量Ｑｐを算出する。Ｑｐは、吸入空気量Ｑａ、メイン噴射量Ｑｍ及び空気過剰率λ（再生のためにリッチ相当値に切り換えられる）に基づいて算出できる。
【００５２】
Ｓ２８では、ポスト噴射時期Ｔｐを設定する。Ｔｐは、メイン噴射による燃焼熱により噴射された燃料の脱水素反応及びクラッキング反応が活発となるように、メイン噴射後所定間隔Ｔｄｌｔ１だけ空けた時期に設定する。Ｔｄｌｔ１は、上記のようにエンジン回転数Ｎｅ及びメイン噴射量Ｑｍに応じて可変とされるが、クランク角で３０°以内の値とする。あるいは、クランク角によらず、筒内温度が１６００℃以上となる時期に設定してもよい。
【００５３】
本実施形態に係る拡散Ｈ２リッチ運転は、以上のようにしてなされる。この運転によれば、ポスト噴射により噴射された燃料の脱水素反応及びクラッキング反応が進み、排気ガスに含まれるＨ２が増量される。Ｈ２は、ＨＣやＣＯと比較してＮＯｘ浄化率が高い。このため、ＮＯｘトラップ触媒１３が低温（２５０℃未満）で充分活性化していなくとも、高いＮＯｘ浄化率が得られる。
【００５４】
これを、図８に示す。図中Ａで示す曲線は、再生時に拡散Ｈ２リッチ運転によりＨ２を増量した場合のＮＯｘ浄化率である。比較のため、曲線Ｂにより、ＨＣ及びＣＯ等従来のポスト噴射により得られる還元剤のみによる場合のＮＯｘ浄化率を示す。このように、拡散Ｈ２リッチ運転によれば、従来のポスト噴射ではＮＯｘ浄化率が著しく低下してしまう低活性時においても充分高いＮＯｘ浄化率を維持できる。
【００５５】
ところで、拡散リッチ運転を行う場合は、Ｓ３０でポスト噴射量Ｑｐを算出するとともに、Ｓ３１でポスト噴射時期Ｔｐを設定する。Ｑｐは、吸入空気量Ｑａ、メイン噴射量Ｑｍ及び空気過剰率λに基づいて算出できる。ここで、Ｑｍは、特に補正されず、Ｓ２２で読み込んだ値である。Ｔｐは、ポスト噴射によりトルク変動が生じないように、メイン噴射後所定間隔Ｔｄｌｔ２だけ空けた時期に設定する。従って、Ｔｄｌｔ２は、Ｔｄｌｔ１よりも長い。
【００５６】
拡散リッチ運転では、ポスト噴射がメイン噴射から充分隔てた時期に行われるので、再生のための還元剤は、ＨＣ及びＣＯが主成分となる。この場合は、ＮＯｘトラップ触媒１３が充分活性化していると判断されているので（図４のＳ９）、ＨＣ及びＣＯだけでも充分なＮＯｘ浄化率が得られる。
次に、本発明の第２実施形態について説明する。本実施形態に係るハード構成は、図３に示すものと同じであってよいが、拡散燃焼による運転と予混合燃焼による運転とが運転状態に応じて切り換えられる。このため、以下に示す制御により、各燃焼状態に適した再生を行う。これにより、拡散燃焼時にリッチ化することに伴うスモークの増量を抑制する。
【００５７】
図９は、本実施形態に係るＥＣＵ４１により実行される再生時期判定ルーチンのフローチャートである。図４に示すフローチャートにおけるものと同様の処理を行うステップには、同じ符号を付してある。
拡散Ｈ２リッチ運転許可フラグＦｒｉｃｈ１（Ｓ１）及び拡散リッチ運転許可フラグＦｒｉｃｈ２（Ｓ２）がともに１でないと判定した場合は、Ｓ４１で、予混合Ｈ２リッチ運転許可フラグＦｒｉｃｈ３が１であるか否かを判定する。ここで、「予混合Ｈ２リッチ運転」とは、エンジン１の燃焼状態が予混合燃焼であるときに、ポスト噴射をメイン噴射直後に行うことにより排気空燃比をリッチ化する運転である。
【００５８】
Ｓ４２では、予混合リッチ運転状態許可フラグＦｒｉｃｈ４が１であるか否かを判定する。ここで、「予混合リッチ運転」とは、エンジン１の燃焼状態が予混合燃焼であるときに、ポスト噴射をメイン噴射から充分隔てた時期に行うことにより排気空燃比をリッチ化する運転である。
予混合Ｈ２リッチ運転及び予混合リッチ運転のいずれも許可されていないと判定した場合は、Ｓ３へ進み、運転状態としてエンジン回転数Ｎｅ及びアクセル開度ＡＰＯを読み込む。そして、Ｓ６で、総トラップ量ΣＮＯが所定量ＮＯＳＬ以上となったか否かを判定する。ΣＮＯは、エンジン回転数Ｎｅの積算値から推定する。ＮＯＳＬ未満であると判定した場合は、本ルーチンを終了し、ＮＯｘを更にトラップする。ＮＯＳＬ以上であると判定した場合は、Ｓ７へ進み、排気空燃比のリッチ化が可能であるか否かを判定する。この判定は、図６に示すマップを参照して行う。リッチ運転禁止領域にあると判定した場合は、本ルーチンを終了する。リッチ運転許可領域にあると判定した場合は、Ｓ８へ進み、ΣＮＯをリセットするとともに、再生時間カウント用タイマｔをリセットする。
【００５９】
Ｓ４３では、運転状態が予混合燃焼領域にあるか否かを判定する。この判定は、図１１に示すように、メイン噴射量Ｑｍ及びエンジン回転数Ｎｅに対応させて割り付けたマップを参照して行う。Ｑｍは、アクセル開度ＡＰＯ及びエンジン回転数Ｎｅに基づいて読み込まれる。予混合燃焼領域にあると判定した場合は、Ｓ４４に進む。一方、この領域にない、すなわち、拡散燃焼領域にあると判定した場合は、Ｓ９に進む。Ｓ９〜１７の処理は、図４のものと同じであるので、ここでの説明は省略する。
【００６０】
Ｓ４４では、Ｓ９と同様に、ＮＯｘトラップ触媒１３のベッド温度ＴＢが所定温度ＴＢＳＬ以上であるか否かを判定する。ＴＢＳＬ未満であると判定した場合は、触媒の活性状態が低いと判断し、Ｓ４５へ進む。一方、ＴＢＳＬ以上であると判定した場合は、触媒が充分活性化していると判断し、Ｓ４９へ進む。
Ｓ４５では、予混合Ｈ２リッチ運転許可フラグＦｒｉｃｈ３に１を代入してＮＯｘトラップ触媒１３の再生を許可し、Ｓ４６へ進む。また、Ｓ４９では、予混合リッチ運転許可フラグＦｒｉｃｈ４に１を代入して触媒１３の再生を許可し、Ｓ５０へ進む。
【００６１】
Ｓ４６では、再生時間カウント用タイマｔを所定間隔ｔｄｌｔだけ増加させる。このｔｄｌｔは、本ルーチンの実行周期に相当する。そして、Ｓ４７で、タイマｔが、再生完了を示す所定値ｔ３に達したか否かを判定する。ｔ３に達した（ｔ≧ｔ３）と判定した場合は、Ｓ４８へ進み、Ｆｒｉｃｈ３に０を代入してＮＯｘトラップ触媒１３の再生を停止した後、本ルーチンを終了する。未だ達していない（ｔ＜ｔ３）と判定した場合は、本ルーチンをそのまま終了し、再生を継続する。
【００６２】
Ｓ５０〜５２では、Ｓ４６〜４８と同様の処理が行われる。但し、Ｓ５１で比較される所定値ｔ４は、ｔ３同様再生完了を示す値である。ｔ１〜４は、それぞれ別個に設定し、各燃焼状態での再生に適した値とするとよい。
図１０は、本実施形態に係るＥＣＵ４１により実行される燃焼噴射制御ルーチンのフローチャートである。図５に示すフローチャートにおけるものと同様の処理を行うステップには、同じ符号を付してある。
【００６３】
まず、Ｓ２１で、運転状態としてエンジン回転数Ｎｅ、アクセル開度ＡＰＯ及び吸入空気量Ｑａを読み込み、Ｓ２２で、メイン噴射量Ｑｍを読み込むとともに、Ｓ２３で、メイン噴射時期Ｔｍを読み込む。
Ｓ２４で、拡散Ｈ２リッチ運転が許可されている（Ｆｒｉｃｈ１＝１）と判定した場合は、Ｓ６３へ進んで拡散Ｈ２リッチ運転を行う。許可されていない（Ｆｒｉｃｈ１＝０）と判定した場合は、Ｓ２９へ進み、拡散リッチ運転が許可されている（Ｆｒｉｃｈ２＝１）と判定した場合は、Ｓ６５へ進んで拡散リッチ運転を行う。許可されていない（Ｆｒｉｃｈ２＝０）と判定した場合は、Ｓ６１へ進む。
【００６４】
Ｓ６１では、予混合Ｈ２リッチ運転が許可されているか否かを判定する。許可されている（Ｆｒｉｃｈ３＝１）と判定した場合は、Ｓ６６へ進み、予混合Ｈ２リッチ運転を行う。許可されていない（Ｆｒｉｃｈ３＝０）と判定した場合は、Ｓ６２へ進む。
Ｓ６２では、予混合リッチ運転が許可されているか否かを判定する。許可されている（Ｆｒｉｃｈ４＝１）と判定した場合は、Ｓ７０へ進み、予混合リッチ運転を行う。許可されていない（Ｆｒｉｃｈ４＝０）と判定した場合は、本ルーチンをリターンする。従って、この場合は、運転状態に応じて通常の拡散燃焼又は予混合燃焼による運転が行われる。
【００６５】
ＮＯｘトラップ触媒１３を再生する際は、吸気絞り弁を所定開度にまで閉じ、吸入空気量Ｑａを減量した状態で燃料噴射が制御される。本実施形態において、拡散Ｈ２リッチ運転を行う場合は、まず、Ｓ６３で、メイン噴射時期Ｔｍを遅角補正する。そして、Ｓ６４で、ポスト噴射量Ｑｐを吸入空気量Ｑａ、メイン噴射量Ｑｍ及び空気過剰率λ１に基づいて算出し、Ｓ２８で、ポスト噴射時期Ｔｐをメイン噴射直後（Ｔｍ＋Ｔｄｌｔ１）に設定する。
【００６６】
拡散リッチ運転を行う場合は、Ｓ６５で、ポスト噴射量Ｑｐを吸入空気量Ｑａ、メイン噴射量Ｑｍ及び空気過剰率λ１に基づいて算出し、Ｓ３１で、ポスト噴射時期Ｔｐをメイン噴射から充分隔てた時期（Ｔｍ＋Ｔｄｌｔ２）設定する。
予混合Ｈ２リッチ運転を行う場合は、Ｓ６６で、メイン噴射量減少量Ｑｍｄｌｔを読み込み、続くＳ６７で、トルク変動を抑制するためにメイン噴射量Ｑｍを減量補正する（Ｑｍ＝Ｑｍ−Ｑｍｄｌｔ）。Ｑｍｄｌｔは、図７（ｂ）に示すように、ここでもポスト噴射時期Ｔｐとメイン噴射時期Ｔｍとの関係に関連して設定する。そして、Ｓ６８で、ポスト噴射量Ｑｐを吸入空気量Ｑａ、メイン噴射量Ｑｍ及び空気過剰率λ２（λ２＜λ１）に基づいて算出し、Ｓ６９で、ポスト噴射時期Ｔｐをメイン噴射直後（Ｔｍ＋Ｔｄｌｔ１）に設定する。Ｔｐは、ポスト噴射により過大なトルクが発生しないようにするため、図７（ａ）に示すように、エンジン回転数Ｎｅ又はメイン噴射量Ｑｍの減少に応じてＴｍに近づける。
【００６７】
予混合リッチ運転を行う場合は、Ｓ７０で、ポスト噴射量Ｑｐを吸入空気量Ｑａ、メイン噴射量Ｑｍ及び空気過剰率λ２に基づいて算出し、Ｓ７１で、ポスト噴射時期Ｔｐをメイン噴射から充分隔てた時期（Ｔｍ＋Ｔｄｌｔ２）設定する。
このように、本実施形態では、拡散燃焼時と予混合燃焼時とで制御内容を区別した。いずれの燃焼状態であっても、ＮＯｘトラップ触媒１３の低活性時は、ポスト噴射をメイン噴射直後に行うこととしたので、第１実施形態と同様に、Ｈ２の増加によるＮＯｘ浄化率の向上効果が得られる。本実施形態では、この効果に加えて、スモーク性能を向上できる。それは、次の理由による。
【００６８】
燃焼状態が拡散燃焼であるときに、ポスト噴射をメイン噴射直後に行うことで排気空燃比をリッチ化すると、スモーク性能は、大幅に悪化する。図１２（ａ）に示すように、同じ空気過剰率λの下で拡散燃焼の場合と予混合燃焼の場合とでスモーク排出量を比較すると、リッチ化に伴うスモーク排出量の増加は、拡散燃焼の場合の方が著しい。このことは、予混合燃焼によれば、リッチ化に伴うスモーク排出量の増加を抑制できることを意味する。
【００６９】
本実施形態では、排気空燃比のリッチ化に際し、まず、設定される空気過剰率λを燃焼状態に応じて切り換える。すなわち、λは、拡散燃焼時には、比較的大きなλ１とされ、予混合燃焼時には、これより小さい（リッチ側にある）λ２とされる。図１２（ａ）は、各燃焼状態（Ａ；拡散燃焼、Ｂ；予混合燃焼）において、ポスト噴射をメイン噴射直後に行った場合のスモーク排出量を示している。同図を参照すると、スモーク排出量は、予混合燃焼時において少なく抑えられる。このため、排気空燃比を大幅にリッチ化し、ＮＯｘトラップ触媒１３に充分なＨ２を供給できる。
【００７０】
一方、拡散燃焼時には、予混合燃焼時よりもスモーク排出量が増加するが、許容レベルの範囲内にあるλ１までならばリッチ化してよい。このときのＨ２生成量は、比較的少なく制限されるものの、ポスト噴射をメイン噴射直後に行うことにより相当量のＨ２が生成されるので、ＮＯｘ浄化率を向上できる。図１２（ｂ）は、ポスト噴射時期をメイン噴射時期に近づけることによりＨ２生成量が増加することを示している。空気過剰率が１に近いλ１であっても、メイン噴射直後にポスト噴射を行う場合（Ｃ２）は、メイン噴射時期から隔てた時期に行う場合（Ｃ１）と比較して、Ｈ２生成量が増加する。
【００７１】
また、本実施形態では、ポスト噴射をメイン噴射直後に行う際のトルク変動を抑制するため、予混合燃焼時には、メイン噴射量を減少し、拡散燃焼には、メイン噴射時期を遅角した。これにより、いずれの燃焼状態においても、スモーク性能の悪化を抑制しつつトルク変動を抑制できる。
次に、本発明の第３実施形態について説明する。本実施形態に係るハード構成は、図３に示すものと同様であってよい。ここでは、以下に示す制御により、ＮＯｘトラップ触媒１３に堆積しているＳＯｘを効率的に除去する。
【００７２】
図１３は、本実施形態に係るＥＣＵ４１により実行される制御のフローチャートである。
Ｓ８１で、運転状態としてエンジン回転数Ｎｅ、アクセル開度ＡＰＯ及び吸入空気量Ｑａを読み込み、Ｓ８２で、Ｎｅ及びＡＰＯに対応させて割り付けたマップを参照してメイン噴射量Ｑｍを読み込むとともに、Ｓ８３で、メイン噴射時期Ｔｐを読み込む。
【００７３】
Ｓ８４では、Ｓ被毒解除許可フラグＦＳＯＸによりＳ被毒解除運転が許可されているか否かを判定する。許可されている（ＦＳＯＸ＝１）と判定した場合は、Ｓ９２へ進み、Ｓ被毒解除運転を行う。許可されていない（ＦＳＯＸ＝０）と判定した場合は、Ｓ８５へ進む。
Ｓ８５では、ＮＯｘトラップ触媒１３がトラップしているＳＯｘの総堆積量ΣＳＯを算出する。トラップされたＳＯｘの量を直接検出するのは困難であるので、ΣＳＯは、エンジン回転数Ｎｅの積算値から推定する。そして、Ｓ８６で、ΣＳＯがトラップ能力の限界を示すＳＯＳＬ以上となったか否かを判定し、ＳＯＳＬ未満であると判定した場合は、本ルーチンを終了する。ＳＯＳＬ以上であると判定した場合は、Ｓ８７へ進み、排気空燃比のリッチ化が可能であるか否かを判定する。この判定は、図６に示すマップを参照して行う。リッチ運転禁止領域にあると判定した場合は、本ルーチンを終了する。
【００７４】
リッチ運転許可領域にあると判定した場合は、Ｓ８８へ進み、排気温度上昇運転を行う。これを行うのは、ＮＯｘトラップ触媒１３に堆積しているＳＯｘを分解除去（燃焼除去）して再生させる際のこの触媒の有効再生温度（Ｈ２が不足した雰囲気中で、例えば、７００℃）が、ＮＯｘの場合の活性温度（例えば、２５０℃）よりも高いためである。排気温度を上昇させる手段として、吸気絞りその他の方法があるが、ここでは、吸気絞り弁５の開度を５０％にまで減少させることによる。
【００７５】
Ｓ８９では、ＮＯｘトラップ触媒１３のベッド温度ＴＢが所定温度ＴＢＳＬ以上であるか否かを判定する。ここでのＴＢＳＬは、例えば、５５０℃に設定される。前述の通り、この触媒に堆積したＳＯｘは、Ｈ２が不足する場合は、７００℃以上にならないと除去されない。本発明によれば、再生時に充分な量のＨ２を供給し、比較的低温（５５０〜７００℃）でもＳＯｘを除去できるようになる。ＴＢがＴＢＳＬ未満であると判定した場合は、本ルーチンを終了し、排気温度上昇運転を継続する。ＴＢＳＬ以上であると判定した場合は、Ｓ９０へ進み、総堆積量ΣＳＯをリセットするとともに、再生時間カウント用タイマｔをリセットする。さらに、Ｓ９１で、Ｓ被毒解除許可フラグＦＳＯＸに１を代入し、Ｓ被毒解除運転を許可する。
【００７６】
Ｓ被毒解除運転が許可されると、Ｓ９２へ進み、図７（ｂ）に示すマップに基づき、メイン噴射減少量Ｑｍｄｌｔを読み込む。そして、Ｓ９３で、ＱｍをＱｍｄｌｔだけ少ない量に補正する。
そして、Ｓ９４で、ポスト噴射量Ｑｐを吸入空気量Ｑａ、メイン噴射量Ｑｍ及び空気過剰率λに基づいて算出し、Ｓ９５で、図７（ａ）に示すマップに基づき、ポスト噴射時期Ｔｐをメイン噴射直後（Ｔｍ＋Ｔｄｌｔ１）に設定する。
【００７７】
更に、Ｓ９６で、再生時間カウント用タイマｔを所定間隔ｔｄｌｔだけ増加させ、続くＳ９７でタイマｔが再生完了を示す所定値ｔ５に達したと判定した場合は、Ｓ９８に進んで排気温度上昇運転を停止するとともに、Ｓ９９で、フラグＦＳＯＸに０を代入し、ＮＯｘトラップ触媒１３の再生を停止する。未だｔ５に達していない（ｔ＜ｔ５）と判定した場合は、本ルーチンをそのまま終了し、再生を継続する。
【００７８】
このように、本実施形態では、吸気絞りによりＮＯｘトラップ触媒１３を加熱するとともに、ポスト噴射をメイン噴射直後に行うことで排気ガスに含まれるＨ２を大幅に増量する。これにより、ＮＯｘトラップ触媒１３に堆積しているＳＯｘを効率的に分解除去できる。
【図面の簡単な説明】
【図１】ポスト噴射時期の進角に伴うＨ２生成量及びトルクの増加傾向を示す図
【図２】本発明の作用の説明図
【図３】本発明の一実施形態に係る内燃機関の排気浄化装置を備えるディーゼル機関の構成図
【図４】同上実施形態における再生時期判定ルーチンのフローチャート
【図５】同上実施形態における燃料噴射制御ルーチンのフローチャート
【図６】リッチ運転可能領域判定用マップ
【図７】ポスト噴射時期及びメイン噴射補正量設定用マップ
【図８】本発明の効果の説明図
【図９】本発明の別の実施形態における再生時期判定ルーチンのフローチャート
【図１０】同上実施形態における燃料噴射制御ルーチンのフローチャート
【図１１】燃焼状態切換用マップ
【図１２】リッチ化に伴う燃焼状態に応じたスモーク排出量の増加傾向、及びポスト噴射時期の進角に伴うＨ２生成量の増加傾向を示す図
【図１３】本発明の更に別の実施形態における再生制御のフローチャート
【符号の説明】
１…ディーゼル機関
２…吸気通路
３…ターボチャージャ
４…インタークーラ
５…吸気絞り弁
６…インジェクタ
７…コモンレール
８…排気通路
１０…ＥＧＲ通路
１１…ＥＧＲ弁
１３…ＮＯｘトラップ触媒
３１…エアフローメータ
３２…クランク角センサ
３３…温度センサ
３４…アクセルセンサ
４１…電子制御ユニット
【図１】
0003885545.tif 000003
【図２】
0003885545.tif 000004
【図３】
0003885545.tif 000005
【図４】
0003885545.tif 000006
【図５】
0003885545.tif 000007
【図６】
0003885545.tif 000008
【図７】
0003885545.tif 000009
【図８】
0003885545.tif 000010
【図９】
0003885545.tif 000011
【図１０】
0003885545.tif 000012
【図１１】
0003885545.tif 000013
【図１２】
0003885545.tif 000014
【図１３】
0003885545.tif 000015